(57)【要約】【課題】  安全性と利便性を兼ね備えた個人照合システム、及び個人照合システムの制御方法の提供。【解決手段】  指紋入力を受け付け、指紋情報を得る指紋入力部と、前記指紋入力部から得た指紋情報に基づいて個人の照合を行う第１モードと第２モードのうち、一方のモードによる個人の照合結果に基づいて他方のモードに移行する照合モード制御部とを備え、前記第１モードは、前記指紋入力部から得た指紋情報に基づき指紋照合のための第１アルゴリズムを用いて個人照合を行うモードであり、前記第２モードは、前記指紋入力部から複数回の指紋入力を受け付け、これら複数回の指紋入力のうち、少なくとも１回の指紋入力により得られた指紋情報に基づき、指紋照合のための第２アルゴリズムを用いて個人照合するモードである、ことを特徴とする個人照合システムの提供。【選択図】        図４
2007058649.tif 000002
【特許請求の範囲】
【請求項１】
指紋入力を受け付け、指紋情報を得る指紋入力部と、
前記指紋入力部から得た指紋情報に基づいて個人の照合を行う第１モードと第２モードのうち、一方のモードによる個人の照合結果に基づいて他方のモードに移行する照合モード制御部とを備え、
前記第１モードは、前記指紋入力部から得た指紋情報に基づき指紋照合のための第１アルゴリズムを用いて個人照合を行うモードであり、
前記第２モードは、前記指紋入力部から複数回の指紋入力を受け付け、これら複数回の指紋入力のうち、少なくとも１回の指紋入力により得られた指紋情報に基づき、指紋照合のための第２アルゴリズムを用いて個人照合するモードである、
ことを特徴とする個人照合システム。
【請求項２】
前記第１アルゴリズムを用いた指紋照合は、前記第２アルゴリズムを用いた指紋照合に比べ、本人拒否率が高く、また、他人許容率が低いことを特徴とする請求項１に記載の個人照合システム。
【請求項３】
前記照合モード制御部は、前記一方のモードによる前記個人の照合が得られない場合、前記他方のモードに移行することを特徴とする請求項１、又は２に記載の個人照合システム。
【請求項４】
前記第１モードは、前記指紋入力部から入力された指紋情報と予め登録された指紋情報とを前記第１アルゴリズムを用いて照合することによって個人を照合することを特徴とする請求項１乃至３のいずれか１項に記載の個人照合システム。
【請求項５】
前記第２モードは、前記複数回の指紋入力から得られた各々の指紋情報と予め登録された指紋情報とを前記第２アルゴリズムを用いて照合し、これら全ての照合結果に基づいて個人を照合することを特徴とする請求項１乃至４のいずれか１項に記載の個人照合システム。
【請求項６】
前記第２モードは、前記複数回の指紋入力の入力順に基づいて個人を照合することを特徴とする請求項１乃至５のいずれか１項に記載の個人照合システム。
【請求項７】
前記第２モードは、前記複数回の指紋入力のうち所定回数目に得られた指紋情報と予め登録された指紋情報とを前記第２アルゴリズムを用いて照合することにより個人を照合することを特徴とする請求項１乃至４のいずれか１項に記載の個人照合システム。
【請求項８】
指紋入力を受け付け、指紋情報を得る指紋入力部と、
前記入力部から入力された指紋情報を予め登録された指紋情報と照合する指紋照合部と、
前記指紋入力部からの複数回の指紋入力を受け付け、これら複数回の入力のうち少なくとも１回の指紋入力については個人の照合判断に使用せず入力回数の計数に使用する制御部と、
を備えたことを特徴とする個人照合システム。
【請求項９】
前記指紋照合部は、前記複数回の入力のうち、所定回目の指紋入力により得られた指紋情報に基づき指紋照合を行うことを特徴とする請求項８に記載の個人照合システム。
【請求項１０】
指紋入力部から得られた指紋情報を基に指紋照合を行い、個人認証を行う個人照合システムの制御方法において、
前記指紋入力部から得た指紋情報を基に、指紋照合のための第１アルゴリズムを用いて個人を照合する第１モードと、
前記指紋入力部からの複数回の指紋入力を受け付け、これら複数回の指紋入力のうち少なくとも１回の指紋入力により得られた指紋情報を基に、指紋照合のための第２アルゴリズムを用いて個人を照合する第２モードと、
の二つのモードを設け、
前記第１モードと前記第２モードとのうち一方のモードによる指紋照合の結果に基づいて他方のモードに移行するように制御することを特徴とする個人照合システムの制御方法。
【請求項１１】
前記第１アルゴリズムを用いた指紋照合は、前記第２アルゴリズムを用いた指紋照合に比べ、本人拒否率が高く、また、他人許容率が低いことを特徴とする請求項１０に記載の個人照合システムの制御方法。
【請求項１２】
前記一方のモードにおける個人照合が得られない場合、前記他方のモードに移行させることを特徴とする請求項１０、又は１１に記載の個人照合システムの制御方法。
【請求項１３】
前記第１モードは、前記指紋入力部から入力された指紋情報と予め登録された指紋情報とを前記第１アルゴリズムを用いて照合することによって個人を照合することを特徴とする請求項１０乃至１２のいずれか１項に記載の個人照合システムの制御方法。
【請求項１４】
前記第２モードは、前記複数回の指紋入力から得られた各々の指紋情報と予め登録された指紋情報とを前記第２アルゴリズムを用いて照合し、これら全ての照合結果に基づいて個人を照合することを特徴とする請求項１０乃至１３のいずれか１項に記載の個人照合システムの制御方法。
【請求項１５】
前記第２モードは、前記複数回の指紋入力の入力順に基づいて個人を照合することを特徴とする請求項１０乃至１４のいずれか１項に記載の個人照合システムの制御方法。
【請求項１６】
前記第２モードは、前記複数回の指紋入力のうち所定回数目に得られた指紋情報と予め登録された指紋情報とを前記第２アルゴリズムを用いて照合することにより個人を照合することを特徴とする請求項１０乃至１３のいずれか１項に記載の個人照合システムの制御方法。
【請求項１７】
指紋入力部から得られた指紋情報を基に指紋照合を行い、個人認証を行う個人照合システムの制御方法において、
前記指紋入力部からの複数回の指紋入力を受け付け、受け付けた指紋入力回数を計数し、前記複数回の指紋入力のうち少なくとも１回の指紋入力については個人の照合判断に使用せず入力回数の計数に使用することを特徴とする個人照合システムの制御方法。
【請求項１８】
前記複数回の入力のうち、所定回目の指紋入力により得られた指紋情報に基づき指紋照合を行うことを特徴とする請求項１７に記載の個人照合システムの制御方法。
【発明の詳細な説明】
【技術分野】
【０００１】
本発明は指紋により個人照合を行う個人照合システム、及び個人照合システムの制御方法に関する。
【背景技術】
【０００２】
従来より、指紋を基に個人の照合を行う個人照合システムは、カード、あるいはパスワードを基にした個人照合システムに比較して、個人による紛失、忘失の恐れが無く、且つ、偽造による不正を防止し易いという特徴を有することから、多方面で広く利用されている。
【０００３】
これらの個人照合システムは、指紋入力部の所定の位置に置かれた指先から指紋を光学的画像として、あるいは圧力分布画像として読み取って、読み取った指紋画像から複数の指紋の特徴点を抽出し、指紋情報を得る。この指紋情報は、予め登録されている指紋情報と照合され、指紋情報が一致した場合には、その予め登録されている指紋情報によって対応する個人が特定され、照合が完了する。
【０００４】
しかしながら、指紋入力部にて読み取った指紋画像は、必要とする画像範囲全てにわたり鮮明な画像であるとは限らない。従って、その様な指紋画像から得られた指紋情報は、所定の特徴点が予め登録されている指紋情報の特徴点と全てが一致するとは限らない。そのため、予め、どの特徴点が何点一致したかによって、指紋情報の一致不一致を判断する判断基準を設けて、この判断基準を満足しているか否かにより照合結果を出す。
【０００５】
これは、判断基準を厳しくすれば、他人を本人として受け入れる誤りを意味する他人許容率は低下するが、本人を本人でないとする誤りである本人拒否率が高くなり、判断基準を緩めれば、他人許容率は高くなり、本人拒否率は低くなることを意味する。
【０００６】
これは、安全性を高めれば、利便性が低下し、利便性を高めれば安全性が下がるという相反する条件と言うことができる。
【０００７】
このような問題に対応するために、複数本の指の指紋を各個人固有の順序で登録をしておき、入力された指紋を登録された順番に照合し、指紋と入力順序の両方が一致した場合に個人が照合に成功したものとする装置の提案もある（例えば、特許文献１参照。）。
【０００８】
しかしながら、入力順序の失念、あるいは入力時における入力順序の誤りが起こることも考えられ、必ずしも安全性と利便性の両方が満足されているとはいえない。
【特許文献１】特開昭６１−１７５８６５号公報（第１頁）
【発明の開示】
【発明が解決しようとする課題】
【０００９】
本発明は、上述したような状況に鑑みてなされたもので、その目的は、安全性と利便性を兼ね備えた個人照合システム、及び個人照合システムの制御方法の提供にある。
【課題を解決するための手段】
【００１０】
上記課題は、以下の項目を実現することにより達成される。
（１）指紋入力を受け付け、指紋情報を得る指紋入力部と、
前記指紋入力部から得た指紋情報に基づいて個人の照合を行う第１モードと第２モードのうち、一方のモードによる個人の照合結果に基づいて他方のモードに移行する照合モード制御部とを備え、
前記第１モードは、前記指紋入力部から得た指紋情報に基づき指紋照合のための第１アルゴリズムを用いて個人照合を行うモードであり、
前記第２モードは、前記指紋入力部から複数回の指紋入力を受け付け、これら複数回の指紋入力のうち、少なくとも１回の指紋入力により得られた指紋情報に基づき、指紋照合のための第２アルゴリズムを用いて個人照合するモードである、
ことを特徴とする個人照合システム。
（２）前記第１アルゴリズムを用いた指紋照合は、前記第２アルゴリズムを用いた指紋照合に比べ、本人拒否率が高く、また、他人許容率が低いことを特徴とする（１）に記載の個人照合システム。
（３）前記照合モード制御部は、前記一方のモードによる前記個人の照合が得られない場合、前記他方のモードに移行することを特徴とする（１）、又は（２）に記載の個人照合システム。
（４）前記第１モードは、前記指紋入力部から入力された指紋情報と予め登録された指紋情報とを前記第１アルゴリズムを用いて照合することによって個人を照合することを特徴とする（１）乃至（３）のいずれか１項に記載の個人照合システム。
（５）前記第２モードは、前記複数回の指紋入力から得られた各々の指紋情報と予め登録された指紋情報とを前記第２アルゴリズムを用いて照合し、これら全ての照合結果に基づいて個人を照合することを特徴とする（１）乃至（４）のいずれか１項に記載の個人照合システム。
（６）前記第２モードは、前記複数回の指紋入力の入力順に基づいて個人を照合することを特徴とする（１）乃至（５）のいずれか１項に記載の個人照合システム。
（７）前記第２モードは、前記複数回の指紋入力のうち所定回数目に得られた指紋情報と予め登録された指紋情報とを前記第２アルゴリズムを用いて照合することにより個人を照合することを特徴とする（１）乃至（４）のいずれか１項に記載の個人照合システム。
（８）指紋入力を受け付け、指紋情報を得る指紋入力部と、
前記入力部から入力された指紋情報を予め登録された指紋情報と照合する指紋照合部と、
前記指紋入力部からの複数回の指紋入力を受け付け、これら複数回の入力のうち少なくとも１回の指紋入力については個人の照合判断に使用せず入力回数の計数に使用する制御部と、
を備えたことを特徴とする個人照合システム。
（９）前記指紋照合部は、前記複数回の入力のうち、所定回目の指紋入力により得られた指紋情報に基づき指紋照合を行うことを特徴とする（８）に記載の個人照合システム。
（１０）指紋入力部から得られた指紋情報を基に指紋照合を行い、個人認証を行う個人照合システムの制御方法において、
前記指紋入力部から得た指紋情報を基に、指紋照合のための第１アルゴリズムを用いて個人を照合する第１モードと、
前記指紋入力部からの複数回の指紋入力を受け付け、これら複数回の指紋入力のうち少なくとも１回の指紋入力により得られた指紋情報を基に、指紋照合のための第２アルゴリズムを用いて個人を照合する第２モードと、
の二つのモードを設け、
前記第１モードと前記第２モードとのうち一方のモードによる指紋照合の結果に基づいて他方のモードに移行するように制御することを特徴とする個人照合システムの制御方法。
（１１）前記第１アルゴリズムを用いた指紋照合は、前記第２アルゴリズムを用いた指紋照合に比べ、本人拒否率が高く、また、他人許容率が低いことを特徴とする（１０）に記載の個人照合システムの制御方法。
（１２）前記一方のモードにおける個人照合が得られない場合、前記他方のモードに移行させることを特徴とする（１０）、又は（１１）に記載の個人照合システムの制御方法。
（１３）前記第１モードは、前記指紋入力部から入力された指紋情報と予め登録された指紋情報とを前記第１アルゴリズムを用いて照合することによって個人を照合することを特徴とする（１０）乃至（１２）のいずれか１項に記載の個人照合システムの制御方法。
（１４）前記第２モードは、前記複数回の指紋入力から得られた各々の指紋情報と予め登録された指紋情報とを前記第２アルゴリズムを用いて照合し、これら全ての照合結果に基づいて個人を照合することを特徴とする（１０）乃至（１３）のいずれか１項に記載の個人照合システムの制御方法。
（１５）前記第２モードは、前記複数回の指紋入力の入力順に基づいて個人を照合することを特徴とする（１０）乃至（１４）のいずれか１項に記載の個人照合システムの制御方法。
（１６）前記第２モードは、前記複数回の指紋入力のうち所定回数目に得られた指紋情報と予め登録された指紋情報とを前記第２アルゴリズムを用いて照合することにより個人を照合することを特徴とする（１０）乃至（１３）のいずれか１項に記載の個人照合システムの制御方法。
（１７）指紋入力部から得られた指紋情報を基に指紋照合を行い、個人認証を行う個人照合システムの制御方法において、
前記指紋入力部からの複数回の指紋入力を受け付け、受け付けた指紋入力回数を計数し、前記複数回の指紋入力のうち少なくとも１回の指紋入力については個人の照合判断に使用せず入力回数の計数に使用することを特徴とする個人照合システムの制御方法。
（１８）前記複数回の入力のうち、所定回目の指紋入力により得られた指紋情報に基づき指紋照合を行うことを特徴とする（１７）に記載の個人照合システムの制御方法。
【発明の効果】
【００１１】
請求項１に記載の発明によれば、指紋照合のための２種類のアルゴリズムを備え、各々のアルゴリズムが有する特徴を生かして指紋照合を行う指紋照合システムが提供される。
【００１２】
請求項２に記載の発明によれば、本人拒否率、他人許容率が異なる二つのアルゴリズムを備えた個人照合システムが提供される。
【００１３】
請求項３に記載の発明によれば、一つのアルゴリズムによる指紋照合により照合されなかった指紋を、他のアルゴリズムで再度照合することによって、照合が得られる可能性がある個人照合システムが提供される。
【００１４】
請求項４に記載の発明によれば、指定したアルゴリズムにより指紋入力部から入力された指紋情報と予め登録された指紋情報とを照合する個人照合システムが提供される。
【００１５】
請求項５に記載の発明によれば、複数回の指紋入力から得られた各々の指紋情報と予め登録された指紋情報とを指定したアルゴリズムを用いて照合し、これら全ての照合結果に基づいて個人を照合するモードを有する個人照合システムが提供される。
【００１６】
請求項６に記載の発明によれば、複数回の指紋入力の入力順に基づいて個人を照合するモードを有する個人照合システムが提供される。
【００１７】
請求項７に記載の発明によれば、複数回の指紋入力のうち所定回数目に得られた指紋情報と予め登録された指紋情報とを用いて照合するモードを有する個人照合システムが提供される。
【００１８】
請求項８に記載の発明によれば、指紋入力部からの複数回の指紋入力を受け付け、これら複数回の入力のうち少なくとも１回の指紋入力については個人の照合判断に使用せず入力回数の計数に使用する個人照合システムが提供される。
【００１９】
請求項９に記載の発明によれば、複数回の入力のうち、所定回目の指紋入力により得られた指紋情報に基づき指紋照合を行う個人照合システムが提供される。
【００２０】
請求項１０に記載の発明によれば、指紋照合のための２種類のアルゴリズムを設けて、各々のアルゴリズムが有する特徴を生かして指紋照合を行う指紋照合システムの制御方法が提供される。
【００２１】
請求項１１に記載の発明によれば、本人拒否率、他人許容率が異なる二つのアルゴリズムを備えた個人照合システムの制御方法が提供される。
【００２２】
請求項１２に記載の発明によれば、一つのアルゴリズムによる指紋照合により照合されなかった指紋を、他のアルゴリズムで再度照合することによって、照合が得られる可能性がある個人照合システムの制御方法が提供される。
【００２３】
請求項１３に記載の発明によれば、指定したアルゴリズムにより指紋入力部から入力された指紋情報と予め登録された指紋情報とを照合する個人照合システムの制御方法が提供される。
【００２４】
請求項１４に記載の発明によれば、複数回の指紋入力から得られた各々の指紋情報と予め登録された指紋情報とを指定したアルゴリズムを用いて照合し、これら全ての照合結果に基づいて個人を照合するモードを有する個人照合システムの制御方法が提供される。
【００２５】
請求項１５に記載の発明によれば、複数回の指紋入力の入力順に基づいて個人を照合するモードを有する個人照合システムの制御方法が提供される。
【００２６】
請求項１６に記載の発明によれば、複数回の指紋入力のうち所定回数目に得られた指紋情報と予め登録された指紋情報とを用いて照合するモードを有する個人照合システムの制御方法が提供される。
【００２７】
請求項１７に記載の発明によれば、指紋入力部からの複数回の指紋入力を受け付け、これら複数回の入力のうち少なくとも１回の指紋入力については個人の照合判断に使用せず入力回数の計数に使用する個人照合システムの制御方法が提供される。
【００２８】
請求項１８に記載の発明によれば、複数回の入力のうち、所定回目の指紋入力により得られた指紋情報に基づき指紋照合を行う個人照合システムの制御方法が提供される。
【発明を実施するための最良の形態】
【００２９】
以下本発明の実施の形態を、図を基に説明する。
【００３０】
図１は、個人照合システムの概念図である。
【００３１】
個人照合システムは、情報処理装置１、指紋照合装置２、接続ケーブル３から構成される。
【００３２】
情報処理装置１は、パーソナルコンピュータが代表的な装置であるが、指紋照合装置と接続可能な機能を有する装置、例えば、複写機、ファックス、プリンタの様な画像形成装置等でも良い。本例ではパーソナルコンピュータを適用した。
【００３３】
指紋照合装置２は、指紋入力部２１を備え、所定の位置に置かれた指の指紋を読み取って、指紋画像を取得し、この指紋画像から指紋の特徴点とその数を抽出して指紋情報を生成する。生成された指紋情報は予め登録されている指紋情報と照合され、照合に成功した場合には、該指紋を有する個人が特定される。
【００３４】
接続ケーブル３は、両端にコネクタを有する通信用ケーブルで、ＵＳＢ、ＲＳ２３２Ｃ等所定の仕様に合致するものが採用されている。なお、本実施の形態では装置間の通信を通信用ケーブルを用いて行っているが、無線で通信を行っても良い。また、ケーブルを用いずに、一方の装置に組み込んでも良い。
【００３５】
図２は、個人照合システムの制御関係を示すブロック図である。
【００３６】
情報処理装置１の制御部Ｃ１は、ＣＰＵ（ＣＰＵ１）、メモリＭ１をはじめ、図には記されていないが演算ユニット、Ｉ／Ｏポート、通信用インターフェイス等を有するコンピュータシステムであり、所定のインターフェイスを介して、ユーザインターフェイス装置である入力部１１、表示部１２と、指紋照合装置２の制御部Ｃ２とに接続されている。
【００３７】
各制御は、メモリＭ１に格納されているソフトウエアである当該のジョブに対応するプログラムを実行させることによって行われる。
【００３８】
指紋照合装置２の制御部Ｃ２は、ＣＰＵ（ＣＰＵ２）、メモリＭ２をはじめ、図には記されていないが演算ユニット、Ｉ／Ｏポート、通信用インターフェイス等を有するコンピュータシステムであり、指紋入力部２１から入力された指紋画像を処理することによって得た指紋情報を基に照合処理を行い、照合結果を接続されている情報処理装置１に送る。
【００３９】
各制御は、メモリＭ２に格納されているソフトウエアである当該のジョブに対応するプログラムを実行させることによって行われる。
【００４０】
なお、本図では、本発明の実施の形態の説明に直接関係しないブロックの記載を省略している。
【００４１】
次に、個人照合システムによる照合処理について説明する。
【００４２】
個人照合システムは、システムの運用に先立ち、予め個人照合の対象となる個人の指紋情報を登録しておく必要がある。
【００４３】
図３は、指紋情報登録の流れを示すフローチャートである。
【００４４】
情報処理装置１の入力部１１からの指示操作によりメモリＭ１に格納されているプログラムである指紋情報登録１０１の実行を開始させると（ステップＳ１）、情報処理装置１の表示手段１２には、指紋登録をする個人名、あるいは個人コードの入力と、指紋照合装置２の指紋入力部２１に指示された指、例えば右手の人差し指、あるいは定められた順番で複数の指を所定の位置に置くことを促す表示が出力される（ステップＳ２）。
【００４５】
前記入力手段１１による個人名の入力、及び前記指紋入力部２１による指紋の入力が行われると（ステップＳ３：Ｙ）、指紋照合装置２のメモリＭ２に格納されているプログラムである特徴点抽出２０１が呼び出され実行されて、入力された指紋は画像として読み取られた後、その指紋の特徴点が抽出され符号化され、指紋情報を生成する（ステップＳ４）。
【００４６】
生成された前記指紋情報は、情報処理装置１から送られた個人名と組み合わされて、組み合わされたデータを逐次格納するメモリＭ２に設けたデータファイルである登録指紋情報ファイル２０２に格納され、一人分の指紋情報の登録が完了する（ステップＳ５）。
【００４７】
前記登録が完了すると、登録完了情報が指紋照合装置２の制御部Ｃ２から情報処理装置１の制御部Ｃ１に送られ、情報処理装置１の表示手段１１には、次の個人名と指紋画像の入力を促す表示が出力される（ステップＳ６）。もし、次の登録を行う必要があれば（ステップＳ７：Ｎ）、ステップ３〜６の処理が繰り返され、次の登録を行う必要がなければ（ステップＳ７：Ｙ）、指紋情報登録のルーチンから出る。
【００４８】
なお、本例では、情報処理装置１の入力手段１１により個人名の入力、及び情報処理装置１の表示手段１２による個人名と指紋画像の入力とを促す表示を行っているが、指紋照合装置２に、入力部、表示部、指紋情報登録ファイルを設けて、指紋照合装置単体で指紋情報登録ができるように構成しても良い。
【００４９】
次に、個人の指紋登録を終えた個人照合システムによる個人照合の流れを説明する。
【００５０】
図４は、第１の実施例における個人照合の流れを示すフローチャートである。
【００５１】
情報処理装置１の入力部１１から個人照合を行うプログラムを実行させる指示入力がなされると、指示情報は制御手段Ｃ１から制御手段Ｃ２に送られて、二つのモード間のモード移行が行われたか否かを記憶するモード移行フラグ２０３がリセットされる（ステップＳ１０）。次いで、表示部１２には二つのモードのどちらかを選択するための画像が表示される（ステップＳ１１）。
【００５２】
もし、モード１を選択した場合には（ステップＳ１２：Ｙ）、モード１が選択されたことを示す選択情報が、情報処理装置１の制御部Ｃ１から指紋照合装置２の制御部Ｃ２に送られ、モード設定プログラム２０４により、モード１にて処理を行うための各種設定が指紋照合装置２になされる（ステップＳ１３）。次いで、情報処理装置１の表示手段１２には、指紋照合装置２の指紋入力部２１からの指紋入力を指示する画像が表示される（ステップＳ１４）。
【００５３】
指紋が入力されると（ステップＳ１５：Ｙ）、第１アルゴリズムにより指紋画像から指紋の特徴点が抽出され指紋情報が生成された後、予め登録されている登録指紋情報ファイル２０２中の指紋情報との照合がなされる（ステップＳ１６）。なお、ここでいう第１アルゴリズムとは、指紋の複数の特徴点（指紋の隆線の端点と分岐点）の位置と方向、場合によってはそれらの相互関係を抽出して指紋情報を生成して、生成された指紋情報を予め登録されている指紋情報と照合する公知の技術を用いることができる。照合精度は、一般に本人拒否率と、他人許容率とで評価されるが、既に説明したように、通常これらは相反する数字となる。例えば、抽出する特徴点の数、及び特徴点が一致しなければならない数を大きくすれば、本人拒否率は高くなり、他人許容率は低くなる。本実施の形態では第１アルゴリズムは、第２アルゴリズムに比較して、本人拒否率は高く、他人許容率は低くなるように設定される。
【００５４】
指紋情報が登録指紋情報ファイル２０２に登録されているものであるとの照合結果を得た場合、即ち、照合に成功した場合には（ステップＳ１７：Ｙ）、制御手段Ｃ２から制御手段Ｃ１に照合に成功した指紋情報に対応する個人名が送られる（ステップＳ１８）。
【００５５】
一方、照合に失敗した場合、即ち、指紋情報が登録指紋情報ファイル２０２に登録されているものではないとの照合結果を得た場合には（ステップＳ１７：Ｎ）、ソフトウエアである照合制御部２４０により、モード移行フラグ２０３がセットされているか否かを判定して（ステップＳ１９）、もし、セットされていなければ（ステップＳ１９：Ｎ）、モード移行フラグ２０３をセットして（ステップＳ２０）、モード２による指紋照合に移行し（ステップＳ２１）、セットされていた場合には（ステップＳ１９：Ｙ）、制御手段Ｃ２から制御手段Ｃ１に照合に失敗したことを知らせる情報をおくる（ステップＳ３１）。
【００５６】
ステップ１２にてモード２が選択された場合（ステップＳ１２：Ｎ）、あるいはステップ２０から処理が流れてきた場合、モード設定プログラム２０４により、モード２にて処理を行うための各種設定が指紋照合装置２になされる（ステップＳ２１）。次いで、情報処理装置１の表示手段１２には、指紋照合装置２の指紋入力部２１からの複数の指紋入力を指示する画像が表示される（ステップＳ２２）。
【００５７】
所定の数の指紋が入力されると（ステップＳ２３、２４）、第２アルゴリズムにより入力された指紋の数の指紋情報が生成された後、これらの指紋情報は順次予め登録されている登録指紋情報ファイル２０２にある指紋情報と照合される（ステップＳ２５、２６）。全ての指紋情報が照合に成功した場合（ステップＳ２７：Ｙ）、制御手段Ｃ２から制御手段Ｃ１に照合に成功した指紋情報に対応する個人名が送られる（ステップＳ１８）。
【００５８】
もし、照合に失敗した場合、即ち、複数の指紋情報の中の１つでも照合に失敗した場合、モード２にて照合を行った回数を計数する照合カウンタ２０５の値Ｋに１が加算される（ステップＳ２８）。なお、前記照合カウンタ２０４の値Ｋは、ステップＳ２１のモード２設定により、モード２の照合処理に先立ちゼロが設定される。
【００５９】
照合カウンタ２０５の値Ｋは、予め設定されている値ＫＫとの比較がなされ（ステップＳ２９）、Ｋ＜ＮＮの場合には（ステップＳ２９：Ｎ）、再度モード２による照合を促す画像が表示部１２に表示され（ステップＳ２２）、ステップ２３〜２７の処理が繰り返される。繰り返し行われた指紋入力によっても指紋照合に成功しない場合（ステップＳ２７：Ｎ）、ステップ２２〜２７は、照合カウンタ２０４の値ＫがＫＫに到達するまで繰り返される。
【００６０】
ＫがＫＫに到達する前に、照合に成功した場合には（ステップＳ２７）、成功した指紋情報に対応する個人名が制御手段Ｃ２から制御手段Ｃ１に送られるが（ステップＳ１８）、ＫがＫＫに到達しても照合に成功しなかった場合には（ステップＳ２７：Ｎ〜Ｓ２９：Ｙ）、モード２による照合は不成功と判断して、照合制御部２４０は、モード移行フラグ１０２を参照することにより、モード１からモード２に移行したか否かを確認して（ステップＳ３０）、もし、モード１からモード２に移行していた場合には（ステップＳ３０：Ｙ）、制御手段Ｃ２から制御手段Ｃ１に照合に失敗したことを知らせる情報を送る（ステップＳ３１）。
【００６１】
また、モード１からモード２に移行していなかった場合には（ステップＳ３０：Ｎ）、照合制御部２４０は、モード移行フラグ１０２をセットして（ステップＳ３２）、モード１に移行する。
【００６２】
以上、説明した様に、本人拒否率、及び他人許容率が異なる２つのアルゴリズムのうちどちらか一方、あるいは両方を用いて指紋照合を行うシステムにより、１つのアルゴリズムによる指紋照合よりも、照合が得られる割合が高く、且つ、本人拒否率、及び他人許容率の上昇がないシステムが実現される。
【００６３】
図５は、第２の実施の形態を示すフローチャートである。
【００６４】
本実施例のフローチャートは、図４に示す第１の実施の形態のフローチャートと重複する部分が多いことから、異なる処理ステップの近傍のみを記載している。
【００６５】
第１の実施の形態では、モード２において、入力された複数の指紋から、複数の指紋情報を得て、これら全ての指紋情報を登録指紋情報ファイルに登録されている指紋情報と照合して、全てが照合に成功したときに、個人の照合がなされたものとしているが（図４、ステップＳ２３〜２７）、本実施の形態においては、照合に成功した各指紋情報の入力順序を決定し（ステップＳ１００）、この順序が、予め入力順序を登録した入力順序登録ファイル２１０と照合され、入力順序が正しいか否かが判定される（ステップＳ１０１）。即ち、入力された全ての指紋情報が照合に成功し、且つ入力順序が予め登録された順序と一致したときに個人の照合が成功したものとする処理である。
【００６６】
このような処理により指紋情報のみによる実施例１のモード２による個人照合よりもより照合精度を上げた本人拒否率の高い個人照合が実現される。
【００６７】
図６は、第３の実施の形態を示すフローチャートである。
【００６８】
本実施の形態のフローチャートも、図４に示す第１の実施の形態のフローチャートと重複している部分が多いことから、異なる処理ステップの近傍のみを記載している。
【００６９】
第１の実施の形態ではモード２において、入力された複数の指紋から、複数の指紋情報を得て、これら全ての指紋情報を登録指紋情報ファイルに登録されている指紋情報と照合して、全てが照合に成功したときに、個人の照合がなされたものとしているが（図４、ステップＳ２３〜２７）、本実施の形態においては、所定の回数の指紋入力はなされるが、指紋照合に使用される指紋情報は、予め照合指紋指定ファイル２３０に設定されている数値Ｍに対応する入力順番に入力された指紋情報のみが指紋照合の対象として選択され（ステップＳ２００）、指紋照合が行われる（ステップＳ２５）。
【００７０】
なお、照合指紋指定ファイル２３０に設定されている数値の設定は、１つでも複数でもよい。
【００７１】
このような処理により、実施例１の場合と比較して、指紋照合に必要な処理時間が短縮される。
【００７２】
図７は、第４の実施の形態を示すフローチャートである。
【００７３】
前述した第３の実施の形態においては、複数回の指紋入力を受け付け、所定の回数目に入力された指紋のみを指紋情報として使用するが、本実施例は、不使用入力回数目ファイル２５０に予め、少なくとも１つの数値Ｐを設定しておき、Ｐ番目に入力された指紋を指紋情報として使用しないようにするものである。なお、数値Ｐは、前記不使用入力回数目ファイルに予め設定して固定するようにしてもよいし、１件あるいは複数件の個人照合ごとに変更するようにしても良い。
【００７４】
本実施の形態のフローチャートも、図４に示す第１の実施の形態のフローチャートと重複している部分が多いことから、異なる処理ステップの近傍のみを記載している。
【００７５】
指紋入力の指示に従って、１番目の指紋が入力されると（ステップＳ２２、２３）、指紋入力回数カウンタ２６０の内容Ｊに１が加算される（ステップＳ３００）。
【００７６】
次に、Ｊ＝Ｐであるか否かが判定され（ステップＳ３００）、Ｊ＝Ｐであったならば、入力された指紋は照合のための指紋情報としては使用されず（ステップＳ３００：Ｙ）、Ｊ＝Ｐでないならば（ステップＳ３００：Ｎ）、Ｊが予め設定されている指紋入力回数ＪＪ以上であるか否かが判定され（ステップＳ３０１）、ＪＪ以上でないならば（ステップＳ３０１：Ｎ）、入力された指紋は照合のための指紋情報としては使用され（ステップＳ２５）、ＪＪ以上であったならば、（ステップＳ３０１：Ｎ）、照合成功か否かの判定へ移行する（ステップＳ２７）。
【００７７】
このように、本実施の形態では、指紋情報として使用しない指紋入力についても入力回数としてカウントし、所定の回数の指紋入力を要求し、入力回数を指紋照合の条件の一つとする一方、指紋照合に使用する指紋情報を適宜に省き、処理時間の短縮を図ったものである。
【００７８】
尚、上述の実施の形態においては、情報処理装置としてパーソナルコンピュータを適用したが、これに代えて画像形成装置を適用した場合、個人照合を行った後、該当するユーザに対応付けて記憶されているプリント条件、例えば、倍率や濃度、後処理等の条件を呼び出して、これらを自動的に設定しても良い。また、個人照合を行った後、該当するユーザに対する親展プリントを実行するように制御しても良い。
【００７９】
以上説明した様に、本発明により、二つの指紋照合のためのアルゴリズムを有し、各々のアルゴリズムの特徴を生かして指紋照合を行う個人照合システム、及び個人照合システムの照合方法が提供される。
【図面の簡単な説明】
【００８０】
【図１】個人照合システムの概念図である。
【図２】個人照合システムの制御関係を示すブロック図である。
【図３】指紋情報登録の流れを示すフローチャートである。
【図４】第１の実施例における個人照合の流れを示すフローチャートである。
【図５】第２の実施例を示すフローチャートである。
【図６】第３の実施例を示すフローチャートである。
【図７】第４の実施例を示すフローチャートである。
【符号の説明】
【００８１】
１  情報処理装置
２  指紋照合装置
３  接続ケーブル
１１  入力部
１２  表示部
２１  指紋入力部
Ｃ１  制御部（情報処理装置）
Ｃ２  制御部（指紋照合装置）
【図１】
2007058649.tif 000003
【図２】
2007058649.tif 000004
【図３】
2007058649.tif 000005
【図４】
2007058649.tif 000006
【図５】
2007058649.tif 000007
【図６】
2007058649.tif 000008
【図７】
2007058649.tif 000009